(57)【要約】【課題】  本発明は、液晶表示装置の駆動方法に関する。【解決手段】  マルチプレクサ駆動素子の少なくとも一つのセグメント電極（Ｓｅｇｍｅｎｔ）電圧信号を対向電極（Ｃｏｍｍｏｎ）の代わりに使用することで、前記セグメント電極電圧信号とその他電極電圧信号の電圧差の変化により表示効果が生じる。前記マルチプレクサ駆動素子は静態駆動素子として使用することができるので、本発明の技術によって、大量生産可能で安価なマルチプレクサ駆動素子を、新たな設計が必要でコストが高い静態駆動素子の代わりに使用し、コストを低く抑え、液晶表示装置の静態駆動における問題点を解決できる。【選択図】  図８Ｂ
2009288754.tif 000002
【特許請求の範囲】
【請求項１】
複数個のセグメント電極出力電圧信号を有するマルチプレクサ駆動素子の準備と、
前記複数個のセグメント電極出力電圧信号の少なくとも一つを第一電圧信号と定義し、残りを第二電圧信号と定義することと、
第一電圧信号と定義した前記セグメント電極出力電圧信号を、前記静態駆動素子の対向電極電圧信号にみたててシミュレートし、第二電圧信号と定義した前記セグメント電極出力電圧信号を、前記静態駆動素子のセグメント電極電圧信号にみたててシミュレートするという手順を含み、
前記静態駆動素子の対向電極電圧信号とセグメント電極電圧信号をシミュレートした前記第一電圧信号と第二電圧信号の電圧差の変化を、前記静態駆動素子の駆動方式とみたてて表示効果を生じさせることを特徴とする、静態駆動素子の駆動方式をシミュレートできる液晶表示装置の駆動方法。
【請求項２】
前記静態駆動素子の対向電極電圧信号とセグメント電極電圧信号をシミュレートした前記第一電圧信号と第二電圧信号を利用し、一部の通電率のタイミングにおける電圧差変化を選択することで前記静態駆動素子の駆動方式となり、階調表示効果が生じることを特徴とする、請求項１に記載した液晶表示装置の駆動方法。
【発明の詳細な説明】
【技術分野】
【０００１】
本発明は液晶表示装置の駆動方法に関し、特に液晶表示装置の静態駆動方法に関する。
【背景技術】
【０００２】
液晶表示装置の駆動は、主にアクティブ方式（Ａｃｔｉｖｅ）とパッシブ方式（Ｐａｓｓｉｖｅ）に分けられる。パッシブ方式は、さらに静態駆動（Ｓｔａｔｉｃ）及びマルチプレクサ駆動（Ｍｕｌｔｉｐｌｅｘ）に分けられる。図１、図２−１〜図２−３と図３−１〜図３−２に示すのは、従来の静態駆動の構造図と供給電圧の波形である。液晶のドット１（ｄｏｔ）は、対向電極３（Ｃｏｍｍｏｎ）と個別のセグメント電極２（Ｓｅｇｍｅｎｔ）によって、回路を通じ個別の駆動電圧を提供し、電圧差によって、Ｃｏｍｍｏｎ―Ｓｅｇｍｅｎｔ  ＯＦＦとＣｏｍｍｏｎ―Ｓｅｇｍｅｎｔ  ＯＮの駆動電圧の波形をそれぞれ生じさせることで（図３−１〜図３−２に示すように）、液晶のドット１の点滅状態をコントロールできる。
【０００３】
図４、図５−１〜図５―３と図６−１〜図６−２が示すのは、従来のマルチプレクサ駆動の構造図と供給電圧の波形であり、図例は1/5通電率(duty)と1/4バイアス(bias)を例にして説明している。二個以上の対向電極（Ｃｏｍｍｏｎ）（Ｃ１〜Ｃｎ）と個別のセグメント電極（Ｓｅｇｍｅｎｔ）（Ｓ１〜Ｓｎ）は、回路を通じて個別の駆動電圧を提供して電圧差を生じさせ、Ｃｏｍｍｏｎ―Ｓｅｇｍｅｎｔ  ＯＦＦとＣｏｍｍｏｎ―Ｓｅｇｍｅｎｔ  ＯＮの駆動電圧の波形をそれぞれ生じさせることで（図６−１〜６−２に示すように）、液晶のドットの点滅状態をコントロールできる。
【０００４】
液晶表示装置の解析度はますます高くなってきているので、回路レイアウト（Ｌａｙｏｕｔ）を節約できるマルチプレクサ駆動が主流となっており、既に相当低いコストで大量生産されている。しかしながら、例えば解析度を高めたいときなど特殊な応用領域において、静態駆動は依然として応用価値があるが、静態駆動は適用する駆動装置を特別に生産する必要があるため、コストが極めて高くなってしまう。
【発明の開示】
【発明が解決しようとする課題】
【０００５】
本発明は、マルチプレクサ駆動装置を使用して、静態駆動の駆動方法をシミュレートすることを目的とする。
【０００６】
本発明に係る液晶表示装置の駆動方法は、静態駆動素子の駆動方式をシミュレートでき、上述の目的を達することができる。本発明は、マルチプレクサ駆動素子を用意し、前記マルチプレクサ駆動素子における複数個のセグメント電極出力電圧信号の少なくとも一つを、前記静態駆動素子の対向電極電圧信号にみたててシミュレートし、残りのセグメント電極出力電圧信号を、前記静態駆動素子のセグメント電極電圧信号にみたててシミュレートする。
【０００７】
これにより、本発明は、前記静態駆動素子の対向電極電圧信号とセグメント電極電圧信号の電圧差の変化をシミュレートし、前記静態駆動素子の駆動方法と同様の表示効果を生じさせることができる。従って、本発明の利点は、大量生産可能な安価のマルチプレクサ駆動装置を使用し静態駆動素子の駆動方式をシミュレートすることで、コストを低く抑えることができる点にある。
【課題を解決するための手段】
【０００８】
複数個のセグメント電極出力電圧信号を有するマルチプレクサ駆動素子の準備と、
前記複数個のセグメント電極出力電圧信号の少なくとも一つを第一電圧信号と定義し、残りを第二電圧信号と定義することと、
第一電圧信号と定義した前記セグメント電極出力電圧信号を、前記静態駆動素子の対向電極電圧信号にみたててシミュレートし、第二電圧信号と定義した前記セグメント電極出力電圧信号を、前記静態駆動素子のセグメント電極電圧信号にみたててシミュレートするという手順を含み、
前記静態駆動素子の対向電極電圧信号とセグメント電極電圧信号をシミュレートした前記第一電圧信号と第二電圧信号の電圧差の変化を、前記静態駆動素子の駆動方式とみたてて表示効果を生じさせることを特徴とする、静態駆動素子の駆動方式をシミュレートできる液晶表示装置の駆動方法。
【発明の効果】
【０００９】
この液晶表示装置の駆動方法によれば、大量生産可能な安価のマルチプレクサ駆動装置を使用し、前記静態駆動素子の対向電極電圧信号とセグメント電極電圧信号の電圧差の変化をシミュレートして、前記静態駆動素子の駆動方法と同様の表示効果を生じさせることができるので、コストを低く抑えることが可能になる。
【発明を実施するための最良の形態】
【００１０】
本考案の詳細内容及び技術説明について、以下、実施例をもってさらに説明する。しかし、前記実施例は例示の説明にすぎず、この説明によって、本考案の実施を制限するものではない。
【００１１】
本発明に係る液晶表示装置の駆動方法は、静態駆動素子の駆動方法をシミュレートすることができる。以下にその手順を述べる。
【００１２】
まず、マルチプレクサ駆動素子を用意する。前記マルチプレクサ駆動は複数個のセグメント電極出力電圧信号を有している。図７−１〜図７−２が示すのは、前記複数個のセグメント電極（Ｓｅｇｍｅｎｔ）出力電圧信号のＯＮとＯＦＦの波形図である。
【００１３】
続いて、図７−３が示すように、前記複数個のセグメント電極出力電圧信号の内少なくとも一つを、第一電圧信号Ｓｃと定義し、残りを第二電圧信号Ｓｓと定義する。第一電圧信号Ｓｃはセグメント電極出力電圧信号ＯＦＦの電圧波形を採用する。
【００１４】
さらに、第一電圧信号Ｓｃと定義した前記セグメント電極出力電圧信号を、前記静態駆動素子の対向電極電圧信号にみたててシミュレートし、第二電圧信号Ｓｓと定義した前記セグメント電極出力電圧信号を、前記静態駆動素子のセグメント電極電圧信号にみたててシミュレートする。
【００１５】
最後に、前記静態駆動素子の対向電極信号とセグメント電極電圧信号をシミュレートした前記第一電圧信号Ｓｃと前記第二電圧信号Ｓｓの電圧差の変化が、前記静態駆動素子の駆動信号となることで、表示効果が生じる。図８−１と図８−２に示すのは、前記第一電圧信号Ｓｃと前記第二電圧信号Ｓｓ（セグメント電極出力電圧信号のＯＮとＯＦＦ）の電圧差の変化である。従って、図１のドット１のような駆動に応用できるため、前記第一電圧信号Ｓｃと前記第二電圧信号Ｓｓが、セグメント電極２と対向電極３をそれぞれ出力して電圧差の変化が生じることで、静態駆動し前記ドット１を表示することができる。
【００１６】
本発明は、前記静態駆動素子の対向電極電圧信号とセグメント電極電圧信号をシミュレートした前記第一電圧信号と第二電圧信号を利用し、一部の通電率のタイミングにおける電圧差変化を選択することで前記静態駆動素子の駆動方式となり、階調表示効果が生じる
【００１７】
図９−１と図９−２が示すように、一部のタイミング（図例はｈａｌｆで説明する）の電圧波形を選択することで、階調表示の効果が生じる。又、本発明のマルチプレクサ駆動素子は、複数個を組み合わせて使用することができるので、静態駆動と同レベルの高解析度の需要を満足させることができる。
【００１８】
上述したように、本発明は、前記第一電圧信号Ｓｃと前記第二電圧信号Ｓｓの電圧差の変化によって、前記静態駆動素子の駆動方式をシミュレートし表示効果を生じさせることができるため、大量生産可能で安価なマルチプレクサ駆動装置を使用するだけで、静態駆動素子の駆動方式をシミュレートできる。従って、本発明は、再び設計する必要があり高いコストの静態駆動素子を使用する必要がなく、コストを低く抑えることができ使用者の要求を満足させることができる。
【図面の簡単な説明】
【００１９】
【図１】従来の静態駆動構造の概略図である。
【図２Ａ】従来の静態駆動における電圧信号の波形図である。
【図２Ｂ】従来の静態駆動における電圧信号の波形図である。
【図２Ｃ】従来の静態駆動における電圧信号の波形図である。
【図３Ａ】従来の静態駆動における電圧差信号の波形図である。
【図３Ｂ】従来の静態駆動における電圧差信号の波形図である。
【図４】従来のマルチプレクサ駆動の構造図である。
【図５Ａ】従来のマルチプレクサ駆動における電圧信号の波形図である。
【図５Ｂ】従来のマルチプレクサ駆動における電圧信号の波形図である。
【図５Ｃ】従来のマルチプレクサ駆動における電圧信号の波形図である。
【図６Ａ】従来のマルチプレクサ駆動における電圧差信号の波形図である。
【図６Ｂ】従来のマルチプレクサ駆動における電圧差信号の波形図である。
【図７Ａ】本発明における電圧信号の波形図である。
【図７Ｂ】本発明における電圧信号の波形図である。
【図７Ｃ】本発明における電圧信号の波形図である。
【図８Ａ】本発明における電圧差信号の波形図である。
【図８Ｂ】本発明における電圧差信号の波形図である。
【図９Ａ】本発明における階調を生じる電圧差信号の波形図である。
【図９Ｂ】本発明における階調を生じる電圧差信号の波形図である。
【符号の説明】
【００２０】
１  ドット
２  セグメント電極
３  対向電極
【図１】
2009288754.tif 000003
【図２Ａ】
2009288754.tif 000004
【図２Ｂ】
2009288754.tif 000005
【図２Ｃ】
2009288754.tif 000006
【図３Ａ】
2009288754.tif 000007
【図３Ｂ】
2009288754.tif 000008
【図４】
2009288754.tif 000009
【図５Ａ】
2009288754.tif 000010
【図５Ｂ】
2009288754.tif 000011
【図５Ｃ】
2009288754.tif 000012
【図６Ａ】
2009288754.tif 000013
【図６Ｂ】
2009288754.tif 000014
【図７Ａ】
2009288754.tif 000015
【図７Ｂ】
2009288754.tif 000016
【図７Ｃ】
2009288754.tif 000017
【図８Ａ】
2009288754.tif 000018
【図８Ｂ】
2009288754.tif 000019
【図９Ａ】
2009288754.tif 000020
【図９Ｂ】
2009288754.tif 000021